(57)【要約】【課題】  装飾体をリング体の弾性作用を利用して着脱自在に取り付け、種々の装飾体を好み、あるいはファッションに応じて使用できるようにした装身具を提供すること。【解決手段】  この装身具は、装飾体１と、この装飾体１に着脱自在に取り付けられるリング体２とを備え、装飾体１は、間隔をあけて配置された開口７を有し、リング体２は、リング部１０と、このリング部１０の両端部に設けられたフック部１１とを有し、リング部１０は、フック部１１が装飾体１の開口７に挿入されあるいは開口７から離脱する挿入・離脱位置と、フック部１１が前記開口７内に挿入され係止された係止位置との間を弾性的に移動可能である。【選択図】      図４
2006304927.tif 000002
【特許請求の範囲】
【請求項１】
装飾体と、この装飾体に着脱自在に取り付けられるリング体とを備え、前記装飾体は、間隔をあけて配置された二つの開口を有し、前記リング体は、リング部と、このリング部の両端部に設けられたフック部とを有し、前記リング部は、前記フック部が前記装飾体の開口にそれぞれ挿入されあるいは開口から離脱される挿入・離脱位置と、前記フック部が前記開口内に挿入されてリング部の弾性力によって係止される係止位置との間を弾性的に移動可能であることを特徴とする装身具。
【請求項２】
前記装飾体は、基台と、この基台の表面に取り付けられた装飾部とを有することを特徴とする請求項１記載の装身具。
【請求項３】
前記開口のそれぞれは、前記基台の裏面から間隔をあけて基台に取り付けられたピンと、前記基台の裏面との間に形成された空間から形成されていることを特徴とする請求項２記載の装身具。
【請求項４】
前記基台は、平坦な基板と、この基板の両側から略垂直に延びるフランジとを有し、前記ピンの両端が前記フランジに取り付けられていることを特徴とする請求項２記載の装身具。
【請求項５】
前記リング部は、一端が開放され略円形状に形成された帯状板から成り、前記挿入・離脱位置において外圧によって内径が弾性的に縮小され、前記係止位置においては前記外圧の解放によって内径が原位置に復帰するように形成されていることを特徴とする請求項１記載の装身具。
【請求項６】
前記フック部は、前記略円形状に形成された帯状板の開放端を外方向に水平に折り曲げることによって形成されていることを特徴とする請求項１記載の装身具。
【請求項７】
前記請求項１記載の装身具を備えたことを特徴とする指輪。
【請求項８】
前記請求項１記載の装身具を備えたことを特徴とするネックレス。
【請求項９】
前記請求項１記載の装身具を備えたことを特徴とする耳飾り。
【請求項１０】
請求項１記載の装身具を備えたことを特徴とする装身具台。
【発明の詳細な説明】
【技術分野】
【０００１】
本発明は、指輪、ネックレス、耳飾り等の装身具の改良に関するものである。
【背景技術】
【０００２】
従来の装身具として、一つのリング体に対して複数の装飾体を取り替えることができるような指輪が知られている。例えば、図８に示される従来の指輪５０は、一部に切欠部５２が形成されたリング体５１と、このリング体５１の切欠部５２にリング体５１の内側から着脱可能に装着される宝石等の装飾体５３とで構成され、リング体５１の切欠部５２に装飾体５３が圧入されることによって、装飾体５３がリング体５１にしっかり固定されるようになっている。（例えば、特許文献１参照）
【０００３】
しかしながら、上記の如き従来の指輪５０では、リング体５１の切欠部５２に装飾体５３を圧入して固定する構造であるため、装飾体５３の外形形状が略球状のものに限定されてしまい、装飾体５３の選択の幅が極めて狭いものとなる。また、指輪５１を使用したときにリング体５１の切欠部５２が見えてしまうために、指輪としての装飾効果が低下してしまうことにもなる。さらに、リング体５１を指に嵌めた時に切欠部５２での装飾体５３の挟持力が緩むおそれがあり、装飾体５３の装着が不安定になるといった問題があった。
【特許文献１】特開２００３−２１０２２０号
【発明の開示】
【発明が解決しようとする課題】
【０００４】
そこで、本発明が解決しようとする課題は、第１に装飾体の選択の幅を広げること、第２にリング体の切欠部が外部から見えないようにして装飾効果を上げること、第３にリング体に装飾体をしっかりと装着することで装飾体の脱落を防止することのできるような装身具を提供することにある。本発明の装身具は指輪だけでなく、ネックレスや耳飾りなどにも適用されるものである。
【課題を解決するための手段】
【０００５】
上記目的を達成するために、本発明に係る装身具は、装飾体と、この装飾体に着脱自在に取り付けられるリング体とを備え、装飾体は、間隔をあけて配置された開口を有し、リング体は、リング部とこのリング部の両端部に設けられたフック部とを有し、リング部は、フック部が装飾体の開口に挿入されあるいは開口から離脱する挿入・離脱位置と、フック部が開口内に挿入され係止された係止位置との間を弾性的に移動可能であることを特徴とする。
【発明の効果】
【０００６】
本発明によれば、装飾体に設けた開口にリング体のフック部を係止させることで、装飾体の外形形状を幅広く選択することができる。また、リング体のフック部や装飾体の開口は外部からは見えないので、装飾性を低下させない。さらに、リング体のフック部を装飾体にしっかりと係止することができるので、使用時にリング体から装飾体が脱落することは皆無である。このように、一つのリング体に、種々の形式の装飾体を好みに応じて、また、ファッションに応じて着け替えることができ、種々のバリエーションを楽しめることができるという利点がある。しかも、装飾体のリング体への装着、リング体からの取り外しが極めて簡単である。このようにして、手軽に異なるサイズのリング体と種々の装飾体とを共有することができ、装身具を家族同士や友人間で交換して用いることができるという効果がある。
【発明を実施するための最良の形態】
【０００７】
以下、本発明の実施の形態を、図面に示された実施例について詳細に説明する。図１乃至図４を参照すると、本発明に係る装身具を指輪に適用した場合の実施例が示してある。この装身具、即ち、指輪は、装飾体１と、この装飾体１を着脱自在に取り付けるためのリング体２とを備えている。
【０００８】
この装飾体１は、基台３と、この基台３の表面に取り付けられた装飾部４とで構成される。基台３は、例えば、図示の実施例では、図４に示すように、断面略コ字状の形状を有する。更に詳細にのべると、この基台３は、略矩形状に形成された平坦な板状の基板５と、この基板５の対向する両側から略垂直に延びる一対のフランジ６とを有する。
【０００９】
装飾部４は、ダイヤ、真珠等の宝石類や金、プラチナ等の貴金属など、任意の種類、形状のものを用いることができ、基板５の表面にロストワックス法により一体に鋳造されるか、ロウ材によって固定されるなど任意の手段によって固定される。
【００１０】
装飾体１は、前記基台３の長手方向に間隔をあけて配置された開口７を有する。この開口７はリング体２に接続するためのものであり、例えば、基台３の基板５の裏面から間隔をあけて基板の幅方向に延びるように配置されてフランジ６に取り付けられた一対のピン８と、基板５の裏面との間に形成された空間から形成されている。従って、この装飾体１には、表面に宝石４が固定され、裏面に横方向に間隔をあけた二つの開口７が形成されている（図３参照）。
【００１１】
前記リング体２は、図１および図４に示すように、一端が開放され略円形状に形成された帯状部材から成り、その内径がある範囲で拡大したり縮小したりすることができるように弾性を有する。リング体２は、リング部１０と、このリング部１０の開放端部に設けられ、前記基台３の開口７に挿入可能なフック１１とを有する。これらフック１１は、図示の実施例では、帯状板の両端を外方向に向かって水平に延びるように折り曲げて形成されたフック部からなっている。
【００１２】
リング部１０は、フック部１１が装飾体１の開口７に挿入されあるいは開口７から離脱される挿入・離脱位置と、フック部１１が開口７内に挿入され係止される係止位置との間を弾性的に移動可能である。
【００１３】
更に詳細に述べると、リング部１０は、図示の実施例では、外圧、例えば、使用者が手によって、リング部１０の両側を内方に押圧することによって図３ｂに示すように内径がリング部１０の弾性に抗して縮小して上記挿入・離脱位置の状態にもたらすことができ、手を離したとき、図３ｄに示すように、リング部１０の内径がリング部の弾性によって拡大してフック部１１が開口７内のピン８に係止される係止位置の状態にもたらすことができるように構成されている。
【００１４】
次に、使用状態をのべると、装飾体１をリング体２に取り付けるとき、リング部１０を、通常の状態（図３ａ）から図３ｂに示すように、リング部１０の内径をその弾性力に抗して縮小し、この縮小状態において、図３ｃに示すように、フック部１１が開口７内に挿入される。フック部１１が開口７内に挿入されたら上記の如く、手を離すと、リング部１０の内径がその弾性により上記通常の状態（原位置）に復帰してリング部１０が縮小状態よりも内径が大きい元の拡大状態になり、フック部１１が開口７内のピン８にリング部１０の弾性力によってしっかり係止される（図３ｄ参照）。この状態からリング部１０の内径を縮小すると、フック部１１が開口７から離脱して装飾体１をリング体２から取外すことができる。
【００１５】
尚、上記実施例と異なって、フック部１１を互いに向かうように内側に水平に折り曲げ、リング部１０の内径をこのリング部１０の弾性力に抗して手で拡大させて、フック部１１を開口７内に挿入させ、次いで手を離せば、フック部１１が開口７内にリング部１０の弾性力によって係止され、リング体２を装飾体１に取り付けることができる。リング体２を装飾体１から外すときにはリング部１０を拡げればよい。
【００１６】
以上のように、装飾体１とリング体２とは、ワンタッチで取り付け取り外しが可能であり、しかもリング部１０の弾性力によって装飾体１とリング体２とをしっかり固定することができる。
【００１７】
図５を参照すると、本発明に係る装身具をネックレス２０に適用した場合の実施例が示してある。この実施例では、このネックレス２０は、そのリング部２１の形状が細長い円形を有し、上記指輪のリング部１０の形状とは異なっている点、並びに首にかけるチェーン２２が追加されている点で上記指輪と構造上相違があるが、その他の点では実質的に同じである。
【００１８】
図６を参照すると、本発明に係る装身具を耳飾り３０に適用した場合の実施例が示してある。この実施例では、耳飾り３０は、そのリング部３１の形状が細長い円形を有し、上記指輪のリング部１０の形状とは異なっている点、並びに耳たぶに取り付けられるタブ３２が追加されている点で上記指輪と構造上相違があるが、その他の点で実質的に同じである。
【００１９】
図７を参照すると、本発明に係る装身具をリング置き台４０に適用した場合の実施例が示してある。この実施例では、このリング置き台４０は、複数のリング体２を未使用時に格納あるいはショーケースで陳列しておくためのものである。このリング置き台４０は、細長い基板４１と、この基板４１の長手方向に配列された複数のリング取付部４２とを有する。これらリング取付部４２のそれぞれの構造は、上記基台３の構造と同じである。従って、各リング体２はこのリング取付部４２に上記と同様な操作によって取付けられたり取外されたりすることができる。
【図面の簡単な説明】
【００２０】
【図１】本発明に係る装身具を指輪に適用した場合の実施例を示す斜視図である。
【図２】図１に示された指輪の一部断面する正面図である。
【図３】リング体を装飾体に取り付ける時の状態を示す一部断面した説明図であり、（ａ）は取り付ける直前の状態を示し、（ｂ）はリング部を縮小している状態を示し、（ｃ）はリング体のフック部を装飾体の開口内に挿入した状態を示し、（ｄ）はフック部をリング部の弾性によって係止している状態を示す。
【図４】リング体、基台、装飾部の配置状態を示す分解斜視図である。
【図５】本発明に係る装身具をネックレスに適用した場合の実施例を示す斜視図である。
【図６】本発明に係る装身具を耳飾りに適用した場合の実施例を示す斜視図である。
【図７】本発明に係る装身具をリング置き台に適用した場合の実施例を示す斜視図である。
【図８】従来の指輪を示す斜視図である。
【符号の説明】
【００２１】
１  装飾体
２  リング体
３  基台
４  装飾部
５  基板
６  フランジ
７  開口
８  ピン
１０  リング部
１１  フック部
２０  ネックレス
３０  耳飾り
４０  リング置き台
【図１】
2006304927.tif 000003
【図２】
2006304927.tif 000004
【図３】
2006304927.tif 000005
【図４】
2006304927.tif 000006
【図５】
2006304927.tif 000007
【図６】
2006304927.tif 000008
【図７】
2006304927.tif 000009
【図８】
2006304927.tif 000010